(57)【要約】      （修正有）【課題】１枚の原稿の画像情報に対して部分的に出力を制限した画像情報を生成できるようにして、画像情報生成の柔軟性を高める。【解決手段】予め領域ごとに機密レベルが設定されている入力画像情報を取得する画像取得部と、機密レベルとこの機密レベルにより特定される領域情報を関連付けて記憶した領域情報記憶部と、出力画像情報の出力先を特定するための出力先特定情報と前記機密レベルに対応する参照レベルを関連付けて記憶した出力先情報記憶部と、前記入力画像から画像情報を抽出する画像領域抽出部と、出力先に送る画像情報を生成する画像処理部を備え、前記画像領域抽出部は、出力画像情報の出力先に対応する出力先特定情報に関連付けられた参照レベルを出力先情報記憶部から検索して、その参照レベルと領域情報記憶部の機密レベルを照合し、前記画像処理部は、前記入力画像情報のうちの出力すべき画像情報を生成する。【選択図】図１
2012151532.tif 000002
【特許請求の範囲】
【請求項１】
予め領域ごとに機密レベルが設定されている入力画像情報を取得する画像取得部と、
前記入力画像情報を記憶する画像記憶部と、
機密レベルとこの機密レベルにより特定される領域情報を関連付けて記憶した領域情報記憶部と、
出力画像情報の出力先を特定するための出力先特定情報と前記機密レベルに対応する参照レベルを関連付けて記憶した出力先情報記憶部と、
前記入力画像から画像情報を抽出する画像領域抽出部と、
出力先に送る画像情報を生成する画像処理部を備え、
前記画像領域抽出部は、出力画像情報の出力先に対応する出力先特定情報に関連付けられた参照レベルを出力先情報記憶部から検索して、その参照レベルと領域情報記憶部の機密レベルを照合し、一致する機密レベルに関連付けられた領域情報を基に前記入力画像情報の該当領域の画像情報を抽出して画像処理部に送り、
前記画像処理部は、前記画像領域抽出部から送られてきた画像情報により前記入力画像情報のうちの出力すべき画像情報を生成することを特徴とする画像処理装置。
【請求項２】
請求項１に記載の画像処理装置において、
前記画像取得部はスキャナ部であり、前記入力画像情報とは前記スキャナ部で読み取った画像情報であることを特徴とする画像処理装置。
【請求項３】
請求項１または請求項２に記載の画像処理装置において、
前記領域情報とは色成分情報であり、
前記画像領域抽出部は、前記出力先情報記憶部の参照レベルと前記領域情報記憶部の機密レベルから、色成分情報を特定し、その特定した色成分情報の画像情報を前記入力画像から抽出することを特徴とする画像処理装置。
【請求項４】
請求項１乃至請求項３のいずれか１項に記載の画像処理装置において、
前記出力先特定情報は、電子メール受信者を特定する情報であり、電子メール受信者に割当てられた機密レベルに応じて出力画像情報を前記画像処理部が生成することを特徴とする画像処理装置。
【請求項５】
請求項１乃至請求項４のいずれか１項に記載の画像処理装置において、
前記出力先特定情報は、ファクシミリ受信者を特定する情報であり、ファクシミリ受信者に割当てられた機密レベルに応じて出力画像情報を前記画像処理部が生成することを特徴とする画像処理装置。
【請求項６】
請求項１乃至請求項５のいずれか１項に記載の画像処理装置において、
前記出力先特定情報とは、利用者の認証情報であり、前記利用者に割当てられた機密レベルに応じて出力画像情報を前記画像処理部が生成することを特徴とする画像処理装置。
【発明の詳細な説明】
【技術分野】
【０００１】
本発明は、原稿から取得した画像情報の重要度を判別して出力する画像情報を制限する機能を備えた画像処理装置に関する。
【背景技術】
【０００２】
従来のこの種の画像処理装置として、原稿を読取ることにより取得した画像情報に機密情報が含まれることを示す機密識別子のパターンが含まれているか否かを調べ、機密識別子のパターンが含まれている場合、ユーザＩＤを入力させて、そのユーザＩＤが予め登録されたユーザＩＤであることが確認された場合のみ、画像情報を出力させるようにしたものがある（例えば、特許文献１参照）。
【先行技術文献】
【特許文献】
【０００３】
【特許文献１】特開２００９−２７８４４２号公報
【発明の概要】
【発明が解決しようとする課題】
【０００４】
しかしながら、上述した従来の技術では、原稿単位で画像情報の出力を制限するため、１枚の原稿の画像情報内に機密性の低い画像情報が含まれていても、その機密性の低い画像情報までもが出力を制限されることになり、柔軟性が低いという問題がある。
本発明は、このような問題を解決することを課題とする。
【課題を解決するための手段】
【０００５】
そのため、本発明の画像処理装置は、予め領域ごとに機密レベルが設定されている入力画像情報を取得する画像取得部と、前記入力画像情報を記憶する画像記憶部と、機密レベルとこの機密レベルにより特定される領域情報を関連付けて記憶した領域情報記憶部と、出力画像情報の出力先を特定するための出力先特定情報と前記機密レベルに対応する参照レベルを関連付けて記憶した出力先情報記憶部と、前記入力画像から画像情報を抽出する画像領域抽出部と、出力先に送る画像情報を生成する画像処理部を備え、前記画像領域抽出部は、出力画像情報の出力先に対応する出力先特定情報に関連付けられた参照レベルを出力先情報記憶部から検索して、その参照レベルと領域情報記憶部の機密レベルを照合し、一致する機密レベルに関連付けられた領域情報を基に前記入力画像情報の該当領域の画像情報を抽出して画像処理部に送り、前記画像処理部は、前記画像領域抽出部から送られてきた画像情報により前記入力画像情報のうちの出力すべき画像情報を生成することを特徴とする。
【発明の効果】
【０００６】
このようにした本発明は、１枚の原稿の画像情報に対して出力先の機密レベルに応じて部分的に出力を制限した画像情報を生成することができ、画像情報生成の柔軟性を高めることができるという効果が得られる。
【図面の簡単な説明】
【０００７】
【図１】第１の実施例を示す機能ブロック図
【図２】第１の実施例の外観を示す斜視図
【図３】第１の実施例における色成分情報記憶部の登録内容例を示す図
【図４】第１の実施例における宛先情報記憶部の登録内容例を示す図
【図５】第１の実施例で用いる原稿の例を示す図
【図６】第１の実施例の作用を示すフローチャート
【図７】第１の実施例のＳ６からＳ８までの処理の詳細を示すフローチャート
【図８】参照レベルに応じた画像出力結果の例を示す図
【図９】第２の実施例を示す機能ブロック図
【図１０】第２の実施例における認証情報記憶部の登録内容例を示す図
【図１１】第２の実施例の作用を示すフローチャート
【図１２】第２の実施例におけるユーザ認証画面の例を示す図
【図１３】二次元バーコードが記載された原稿の例を示す図
【発明を実施するための形態】
【０００８】
以下、図面を参照して本発明による画像処理装置の実施例を説明する。
【実施例１】
【０００９】
図２は第１の実施例の外観を示す斜視図で、この第１の実施例の画像処理装置は、図２に示すようにスキャナ部１０と、操作パネル部１１と、プリンタ部１２を備えている。
図１は第１の実施例の機能ブロック図で、ここでは第１の実施例の画像処理装置として、電子メール送信機能と、ファクシミリ通信機能と、印刷（コピー）機能を持つＭＦＰ（Ｍｕｌｔｉｆｕｎｃｔｉｏｎ  Ｐｅｒｉｐｈｅｒａｌ）を例に説明するが、電子メール送信機能を持つスキャナであってもよい。
【００１０】
図において１は画像処理装置（ＭＦＰ）であり、この画像処理装置１のスキャナ部（画像取得部）１０は、原稿を読取ってＲＧＢ画像情報へ変換する読取り部２０と、ＲＧＢ画像情報を記憶するイメージバッファ（画像記憶部）２１と、ＲＧＢ画像情報から特定の色成分（画像領域）を抽出する色成分抽出部（画像領域抽出部）２２と、ＲＧＢ画像情報から抽出する色成分の特定情報を記憶する色成分情報記憶部（領域情報記憶部）２３と、出力画像情報の宛先（出力先）を特定する宛先情報を記憶する宛先情報記憶部（出力先情報記憶部）２４と、色成分抽出部２２が抽出した色成分情報に対して画像処理を行う画像処理部２５と、電子メール送信を含むネットワーク通信全般を制御するネットワーク制御部２６と、ファクシミリ送受信を含む一般公衆回線の通信全般を制御するファクシミリ制御部２７から構成される。
【００１１】
１１は操作パネル部で、この操作パネル部１１は画像処理装置１の操作全般を制御するものであり、宛先情報の登録及び各機能を実行するために必要な表示部と各種操作キーで構成されている。
１２はプリンタ部で、このプリンタ部１２は画像処理装置１の印刷機能全般を制御するものである。
【００１２】
図３は色成分情報記憶部２３の登録内容例を示す図で、色成分情報記憶部２３には例えば５段階（０〜４）の機密レベルが設定された機密レベル情報３０と、機密レベル情報３０の機密レベル毎に抽出される抽出色成分情報３１が関連付けられて予め記憶されており、この抽出色成分情報３１の抽出色成分としては、例えば機密レベル０はＯＦＦ、機密レベル１はＲ（赤）とＧ（緑）とＢ（青）の３色、機密レベル２はＲとＧの２色、機密レベル３はＲの１色のみ、機密レベル４は画像全体の輝度のように設定されている。
【００１３】
図４は宛先情報記憶部２４の登録内容例を示す図で、宛先情報記憶部２４には、宛先情報を管理する通し番号４０と、宛先名（受信者名）４１と、電子メールアドレス（出力先）４２と、ファクシミリ番号（出力先）４３と、電子メール送信時に機密レベルと照合する電子メール用参照レベル情報４４と、ファクシミリ送信時に機密レベルと照合するファクシミリ用参照レベル情報４５が記憶（登録）されており、これらの情報はユーザ（利用者）が操作パネル部１１で予め入力することで登録が行われているものとする。尚、電子メール用参照レベル情報４４の参照レベル及びファクシミリ用参照レベル情報４５の参照レベルは予め電子メール受信者やファクシミリ受信者に割当てられたもので、この参照レベルは機密レベル情報３０の機密レベルと一致するものである。
【００１４】
図５は本実施例で用いる原稿の例を示す図で、この原稿には、ユーザＩＤ４６が青色、パスワード４７が赤色、連絡先４８が緑色、それ以外の文字は黒色それぞれで印刷されているものとする。
上述した構成による第１の実施例の作用について説明する。図６は第１の実施例の作用を示すフローチャートで、画像処理装置１の電子メール送信時の動作の概略を示しており、図中にＳで示したステップに従って説明を行う。尚、以下に説明する各部の動作は、図示しない記憶部に格納されたプログラムに基づいて実行される。
【００１５】
ユーザ（利用者）はスキャナ１０の読取り部２０に図５に示した原稿をセットし（Ｓ１）、操作パネル部１１を操作して画像送信の宛先の選択（入力）後、電子メール送信開始の操作を行う（Ｓ２）。これにより読取り部２０はセットされた原稿を読み込んでＲＧＢ画像情報に変換し、そのＲＧＢ画像情報をイメージバッファ２１へ格納する（Ｓ３）。尚、送信相手先の情報はネットワーク制御部２６に送られる。
【００１６】
ＲＧＢ画像情報のイメージバッファ２１への格納が終了すると読取り部２０はすべての原稿の読み込みが完了したか否かを判断し（Ｓ４）、読み込みが完了していない場合は、Ｓ３へ戻り、次の原稿の読み込み、ＲＧＢ画像情報のイメージバッファ２１への格納を繰り返す。
【００１７】
原稿の読み込みが完了すると、色成分抽出部２２はユーザが入力した宛先を基に宛先情報記憶部２４に記憶されている電子メール用参照レベル情報４４から参照レベルを検索（取得）し（Ｓ５）、その検索した参照レベルを色成分情報記憶部２３に記憶されている機密レベル情報３０の機密レベルと照合して、一致する機密レベルに対応する抽出色成分情報３１の抽出色成分を取得する（Ｓ６）。
【００１８】
続いて色成分抽出部２２は、色成分情報記憶部２３から取得した抽出色成分を基にイメージバッファ２１に格納されているＲＧＢ画像情報から抽出色成分の画像情報を抽出して画像処理部２５へ送り（Ｓ７）、画像処理部２５は色成分抽出部２２から受け取った画像情報に対し二値化、論理積演算等の画像処理を行って画像情報を生成する（Ｓ８）。
尚、上述のＳ６からＳ８までの処理動作については、後で詳しく説明する。
【００１９】
次にネットワーク制御部２６が、宛先情報記憶部２４から送信相手先の電子メールアドレス４２の情報を取得すると共に、画像処理部２５が生成した画像情報を取得して、送信イメージ情報を生成し（Ｓ９）、その送信イメージ情報をネットワーク制御部２６が送信相手先の電子メールアドレスへ送信する（Ｓ１０）。
【００２０】
この送信が終了すると、ネットワーク制御部２６はすべての送信相手先への送信が完了したか否かを判断し（Ｓ１１）、複数の送信相手先が選択されている場合は、すべての送信相手先への送信イメージデータの送信が完了するまでＳ５からＳ１０までの処理を繰返す。
すべての送信相手先への送信が完了した場合、ネットワーク制御部２６は、イメージバッファ２１へ格納されているＲＧＢ画像情報を消去（クリア）する（Ｓ１２）。
【００２１】
図７は図６におけるＳ６からＳ８までの処理の詳細を示すフローチャートである。
前記Ｓ６での抽出色成分情報３１の抽出色成分の取得に当たって色成分抽出部２２は宛先情報記憶部２４の電子メール用参照レベル情報４４から取得した送信相手先の参照レベルが０か否かを判断し（Ｓ２１）、参照レベルが０であった場合、色成分抽出部２２は、イメージバッファ２１に格納されているＲＧＢ画像情報から抽出色成分の抽出は行わず、処理を完了する。つまり画像情報を画像処理部２５に送らず処理を完了する。
【００２２】
参照レベルが０でない場合、色成分抽出部２２は、参照レベルが１か否かを判断し（Ｓ２２）、参照レベルが１であった場合、色成分抽出部２２は参照レベル１と一致する機密レベル情報３０の機密レベル１に対応した抽出色成分情報３１のＲ、Ｇ、Ｂの抽出色成分を取得し、イメージバッファ２１に格納されているＲＧＢ画像情報からＲ、Ｇ、Ｂの抽出色成分情報を色毎に抽出して、順次画像処理部２５へ送信する（Ｓ２３）。
画像処理部２５は、色成分抽出部２２から受け取ったＲ、Ｇ、Ｂの抽出色成分情報を個々に二値化処理し（Ｓ２４）、二値化した情報の論理積演算処理を各画素単位で行って（Ｓ２５）、画像情報を生成する。
【００２３】
参照レベルが１でない場合、色成分抽出部２２は、参照レベルが２か否かを判断し（Ｓ２６）、参照レベルが２であった場合、色成分抽出部２２は参照レベル２と一致する機密レベル情報３０の機密レベル２に対応した抽出色成分情報３１のＲ、Ｇの抽出色成分を取得し、イメージバッファ２１に格納されているＲＧＢ画像情報からＲ、Ｇの抽出色成分情報を抽出して、画像処理部２５へ送信する（Ｓ２７）。画像処理部２５は、色成分抽出部２２から受け取ったＲ、Ｇの抽出色成分情報を個々に二値化処理し（Ｓ２８）、二値化した情報の論理積演算処理を各画素単位で行って（Ｓ２９）、送信用の画像情報を生成する。
【００２４】
参照レベルが２でない場合、色成分抽出部２２は、参照レベルが３か否かを判断し（Ｓ３０）、参照レベルが３であった場合、色成分抽出部２２は参照レベル３と一致する機密レベル情報３０の機密レベル３に対応した抽出色成分情報３１のＲの抽出色成分を取得し、イメージバッファ２１に格納されているＲＧＢ画像情報からＲの抽出色成分情報のみを抽出して、画像処理部２５へ送信する（Ｓ３１）。画像処理部２５は、色成分抽出部２２から受け取ったＲの抽出色成分情報を二値化処理して（Ｓ３２）、画像情報を生成する。
【００２５】
参照レベルが３でない場合、色成分抽出部２２は機密レベル情報３０の機密レベル４に対応した抽出色成分情報３１の輝度の抽出色成分を取得し、イメージバッファ２１に格納されているＲＧＢ画像情報から輝度の抽出色成分情報を抽出して、画像処理部２５へ送る（Ｓ３３）。画像処理部２５は、色成分抽出部２２から受け取った輝度の抽出色成分情報を二値化処理して（Ｓ３４）、画像情報を生成する。
【００２６】
図８は上述した参照レベルに応じた画像出力結果の例を示す図で、同図（ａ）は参照レベルが１の場合、同図（ｂ）は参照レベルが２の場合、同図（ｃ）は参照レベルが３の場合、同図（ｄ）は参照レベルが４の場合の出力画像である。
これらの図からあきらかなように、図８（ａ）の出力画像では、イメージバッファ２１に格納されているＲＧＢの画像情報に対し、Ｒ、Ｇ、Ｂの３色の成分の二値化処理、及び論理積演算処理を行うことでＲ、Ｇ、Ｂの３色の成分が除去されているため、つまりＲ（赤色）の画像情報であるパスワード、Ｇ（緑色）の画像情報である連絡先、Ｂ（青色）の画像情報であるユーザＩＤが除去され、ユーザ名のみが出力されている。
【００２７】
図８（ｂ）の出力画像ではＲＧＢ画像情報に対し、Ｒ、Ｇの２色の成分の二値化処理、及び論理積演算処理を行うことでＲとＧの２色の成分が除去されているため、ユーザ名とユーザＩＤが出力されており、また図８（ｃ）の出力画像ではＲＧＢ画像情報に対し、Ｒの成分のみの二値化を行うことで、Ｒの成分が除去されているため、ユーザ名とユーザＩＤ及び連絡先が出力され、図８（ｄ）の出力画像では輝度の成分のみの二値化を行うことで、ユーザ名、ユーザＩＤ、パスワード、連絡先のすべてが出力されている。
【００２８】
尚、上記の説明は電子メール送信時の動作を例にしたものであるが、説明文中の電子メールをファクシミリ、電子メールアドレス４２をファクシミリ番号４３、電子メール参照レベル４４をファクシミリ参照レベル４５、ネットワーク制御部２６をファクシミリ制御部２７へ置き換えることで、ファクシミリ送信時も同様の処理が可能となる。
【００２９】
以上説明したように、第１の実施例では、宛先情報記憶部に記憶されている宛先情報に関連付けられた参照レベルを色成分情報記憶部に登録されている機密レベルと照合し、機密レベルに関連付けられた抽出色成分に基づいて出力画像情報を生成するようにしているので、１枚の原稿の画像情報に対して画像送信の宛先の機密レベルに応じて部分的に出力を制限した画像情報を生成することができ、画像情報生成の柔軟性を高めることができるという効果が得られる。
【実施例２】
【００３０】
図９は本発明の第２の実施例を示す機能ブロック図で、この第２の実施例は、コピー実行時にユーザ（利用者）を特定するための認証情報が記憶された認証情報記憶部２８と、ユーザが入力したユーザＩＤの認証を行うユーザ認証部２９をスキャナ部１０に追加したものとなっている。この他の構成は第１の実施例と同様であるので、同一の符号を付してその説明を省略する。
【００３１】
図１０は認証情報記憶部２８の登録内容例を示す図で、認証情報記憶部２８には、認証情報を管理するための通し番号４８と、ユーザ名４９と、ユーザＩＤ５０と、機密レベルとの照合に用いるコピー用参照レベル情報５１が記憶（登録）されており、これらの情報はユーザが操作パネル部１１で予め入力することで登録が行われているものとする。尚、コピー用参照レベル情報５１の参照レベルは機密レベル情報３０の機密レベルと一致するものである。
【００３２】
上述した構成による第２の実施例の作用について説明する。図１１は第２の実施例の作用を示すフローチャートで、コピー実行時の動作の概略を示しており、図中にＳで示したステップに従って説明を行う。尚、以下に説明する各部の動作も、図示しない記憶部に格納されたプログラムに基づいて実行されるものとする。また、第２の実施例で用いる原稿は、第１の実施例と同様とする。
【００３３】
画像処理装置１はユーザ認証待ち状態であるとき（Ｓ４１）、操作パネル部１１にユーザ認証画面が表示される。図１２はこの場合のユーザ認証画面の例を示す図で、ユーザにユーザＩＤの入力を促すメッセージが表示されている。
【００３４】
ユーザ認証部２９は操作パネル部１１を監視してユーザがユーザＩＤを入力したか否かを判断し（Ｓ４２）、入力していない場合監視を続け、ユーザがユーザ認証画面のメッセージに従って操作パネル部１１でユーザＩＤを入力すると、ユーザ認証部２９は、入力されたユーザＩＤを認証情報記憶部２８のユーザＩＤ５０と照合して（Ｓ４３）、入力されたユーザＩＤがユーザＩＤ５０に登録されているか否かを確認する（Ｓ４４）。
【００３５】
入力されたユーザＩＤがユーザＩＤ５０に登録されていない場合は、処理を終了させ、入力されたユーザＩＤがユーザＩＤ５０に登録されていた場合、ユーザ認証部２９は、画像処理装置１をコピー実行可能状態へと移行させる（Ｓ４５）。これによりユーザは、読取り部２０に原稿をセットする（Ｓ４６）。ここで用いる原稿は、第１の実施例と同様に図５に示した原稿とする。
【００３６】
続いてユーザは操作パネル部１１を操作して送信相手先を選択（または入力）後、電子コピー送信開始の操作を行う（Ｓ４７）。これにより読取り部２０はセットされた原稿を読み込んでＲＧＢ画像情報に変換し、そのＲＧＢ画像情報をイメージバッファ２１へ格納する（Ｓ４８）。
【００３７】
原稿の読み込みが完了すると、色成分抽出部２２は認証情報記憶部２８のコピー用参照レベル情報５１から利用者のコピー用参照レベルを取得し（Ｓ４９）、取得したコピー用参照レベルを色成分情報記憶部２３に記憶されている機密レベル情報３０の機密レベルと照合して、一致する機密レベルに対応付けられている抽出色成分情報３１から該当する抽出色成分を取得する（Ｓ５０）。
【００３８】
続いて色成分抽出部２２は、色成分情報記憶部２３から取得した抽出色成分を基にイメージバッファ２１に格納されているＲＧＢ画像情報から抽出色成分に該当する画像情報を抽出して画像処理部２５へ送り（Ｓ５１）、画像処理部２５は色成分抽出部２２から受け取った画像情報に対し二値化等の画像処理を行って画像情報を生成する（Ｓ５２）。尚、上述したＳ４６からＳ５２までの処理動作は、第１の実施例での図６におけるＳ１からＳ８までの処理動作と同じであり、また、Ｓ５０からＳ５２では図７と同様の処理が行われる。
【００３９】
画像処理部２５が生成した画像情報はプリンタ部１２に送られ、プリンタ部１２は画像処理部２５から画像情報を受取ると、その画像情報を印刷し（Ｓ５３）、印刷が終わると、読取り部２０はすべての原稿のコピー（印刷）が完了したか否かを判断して（Ｓ５４）、完了していない場合はＳ４８からの処理が繰返され、完了した場合は処理終了となる。
【００４０】
以上説明したように、第２の実施例では、認証情報記憶部に登録されているユーザの認証情報に関連付けられた参照レベルを色成分情報記憶部に登録されている機密レベルと照合し、機密レベルに対応付けられた抽出色成分に基づいて出力画像情報を生成するようにしているので、１枚の原稿の画像情報に対してユーザの機密レベルに応じて部分的に出力を制限した画像情報を生成することができ、画像情報生成の柔軟性を高めることができるという効果が得られる。
尚、上述した第１、第２の実施例では、入力画像の色成分データを用いて出力画像の制限を行うものとしたが、以下の方法で出力画像情報の制限を行うようにしてもよい。
【００４１】
図１３は二次元バーコードが記載された原稿の例を示す図で、１枚の原稿の紙面を複数の領域、例えばＡ、Ｂ、Ｃ、Ｄの領域に区分し、各領域内のたとえば左上隅に領域情報と各領域情報の機密レベル情報を含む二次元バーコード６０を設けたものとなっている。
このようにした原稿をスキャナ部１０の読取り部２０で読取り、二次元バーコードに記載の機密レベルから利用者に対して設定された機密レベルを特定して、その機密レベルに応じて領域情報内の画像情報の出力に制限を設けることも可能である。
【符号の説明】
【００４２】
１    画像処理装置
１０  スキャナ部
１１  操作パネル部
１２  プリンタ部
２０  読取り部
２１  イメージバッファ
２２  色成分抽出部
２３  色成分情報記憶部
２４  宛先情報記憶部
２５  画像処理部
２６  ネットワーク制御部
２７  ファクシミリ制御部
２８  認証情報記憶部
２９  ユーザ認証部
【図１】
2012151532.tif 000003
【図２】
2012151532.tif 000004
【図３】
2012151532.tif 000005
【図４】
2012151532.tif 000006
【図５】
2012151532.tif 000007
【図６】
2012151532.tif 000008
【図７】
2012151532.tif 000009
【図８】
2012151532.tif 000010
【図９】
2012151532.tif 000011
【図１０】
2012151532.tif 000012
【図１１】
2012151532.tif 000013
【図１２】
2012151532.tif 000014
【図１３】
2012151532.tif 000015